(57)【特許請求の範囲】
【請求項１】
槽体と、槽体上部に取り付けられるバランスリングと、槽体下部に取り付けられる槽底部とを含む洗濯機の内槽であって、前記槽体はバランスリングの下方に、内径が槽体の内径より小さい環状のネッキング構造を有し、ネッキング構造部分ならびに／またはネッキング構造およびバランスリングの間に複数の脱水孔が分布し、槽体の下部は密封の水受け構造であり、
前記バランスリング下端に、下向きにネッキング構造に挿入される環状リブが設けられ、環状リブとネッキング構造の内壁との間に、排水通路を形成する間隙を有し、脱水孔は、ネッキング構造における排水通路の最上部の近くに設けられることを特徴とする洗濯機の内槽。
【請求項２】
前記ネッキング構造は、槽体が外から内にへこみ、槽体の内壁に形成される環状突起であるか、またはネッキング構造は、槽体の内壁に円周に沿って設けられる環状凸リブであることを特徴とする、請求項１に記載の洗濯機の内槽。
【請求項３】
前記脱水孔は槽体の軸方向に少なくとも２層に分けられ、上層の脱水孔の分布密度は下槽の脱水孔の分布密度より高いことを特徴とする、請求項１に記載の洗濯機の内槽。
【請求項４】
前記バランスリングに外周に向かって突起する環状凸リブが設けられ、ネッキング構造の上端部の外反部は環状凸リブの縁と接続され、脱水孔は環状凸リブの下方に設けられることを特徴とする、請求項１に記載の洗濯機の内槽。
【請求項５】
前記排水通路は縦方向に配列する複数の通路を含み、前記脱水孔は通路の上部に設けられ；
前記通路は、主に環状リブに縦方向に分布する縦方向リブがネッキング構造と組み合わさってなることを特徴とする、請求項１に記載の洗濯機の内槽。
【請求項６】
前記ネッキング構造下方の槽体内壁に分離式フィルタカバーが設けられ、前記分離式フィルタカバーは本体および付属ブロックを含み、付属ブロックは本体上方、ネッキング構造の下方に設けられ、内槽の上部に位置し、付属ブロックおよび本体の間に、水流を内槽の回転方向に沿って通過させる通水間隙が設けられることを特徴とする、請求項１に記載の洗濯機の内槽。
【請求項７】
前記槽体は前記付属ブロック後方に第３脱水孔を有することを特徴とする、請求項６に記載の洗濯機の内槽。
【請求項８】
前記ネッキング構造下方の槽体内壁に連続式フィルタカバーが設けられ、連続式フィルタカバーおよびネッキング構造の間に、水流を内槽の回転方向に沿って通過させる通水間隙が設けられることを特徴とする、請求項１に記載の洗濯機の内槽。
【請求項９】
前記フィルタカバーのちょうど上方および両側α（０≦α≦２０°）の範囲内に、脱水孔を設けないことを特徴とする、請求項７または８に記載の洗濯機の内槽。
【請求項１０】
前記ネッキング構造下方の槽体内壁に連続式フィルタカバーが設けられ、前記フィルタ
カバーのちょうど上方および両側α（０≦α≦２０°）の範囲内に、脱水孔を設けないことを特徴とする、請求項１に記載の洗濯機の内槽。
【請求項１１】
槽体と、槽体上部に取り付けられるバランスリングと、槽体下部に取り付けられる槽底部とを含む洗濯機の内槽であって、前記槽体は、前記槽体の上部かつバランスリングの下方に、内径が槽体の内径より小さい環状のネッキング構造を有し、ネッキング構造部分ならびに／またはネッキング構造およびバランスリングの間に複数の脱水孔が分布し、槽体の下部は密封の水受け構造であり、
前記脱水孔は槽体の軸方向に少なくとも２層に分けられ、上層の脱水孔の分布密度は下槽の脱水孔の分布密度より高いことを特徴とする洗濯機の内槽。
【発明の詳細な説明】
【技術分野】
【０００１】
本発明は洗濯機の分野に関し、特に洗濯機の内槽である。
【背景技術】
【０００２】
既存の洗濯機は、内槽全体に密封の水受け設計を採用した穴なし内槽洗濯機を含む。バランスリング下方の槽壁にのみ脱水孔が１周に設けられ、内槽槽壁の下部には脱水用の貫通した小孔は設けられない。洗濯、すすぎ用の水はすべて内槽中に集中し、内槽は水受け洗濯槽でも、遠心脱水槽でもある。洗濯機の外槽は、実際には穴なし内槽が脱水時に放出した水を集める１つの通路に過ぎない。排水方式の違いに基づいて、該洗濯機は内槽底部に排水口を設けた構造、および槽底部を完全に密封した構造の２つに分けられる。槽底部に排水口を設けた洗濯機は、排水時、先に内槽の排水口から大部分の水を排出する。遠心脱水時、内槽が高速回転し、衣類中に残った水は遠心力の作用で、穴なし内槽の槽壁に沿って上昇する。槽口およびバランスリング下方に、外槽に放出する脱水孔を１周に分布することにより、外槽壁を経て外槽底部の排水管に集まり、洗濯機外に排出される。槽底部を完全に密封した洗濯機は、内槽の回転速度を制御することにより、内槽中の水も槽壁上部の１周の脱水孔から排出し、脱水は上記方式と同じである。該洗濯機は、従来の洗濯機の内外槽に「挟まれた」水を節約するため、節水効果は平均で５０％以上に達することができる。
【０００３】
中国特許出願番号第２０１１２０２００８５８．４号明細書は、穴なし内槽の節水型洗濯機を開示しており、制御コンソール、筐体、穴なし洗濯内槽、パルセータ、水受け槽、駆動システムおよび制御システムを含む。前記筐体に制御コンソールが取り付けられ、制御コンソールに制御システムが取り付けられる。筐体内に水受け槽が吊るされ、水受け槽内に穴なし洗濯内槽が取り付けられる。穴なし洗濯内槽内にパルセータが取り付けられ、駆動システムは穴なし洗濯内槽およびパルセータに接続される。前記穴なし洗濯内槽の槽体に出水孔は無く、上部に出水孔が設けられ、底部に遠心式排水構造が設けられる。
【０００４】
しかし、上記洗濯機は、洗濯時、パルセータの激しい往復撹拌下で、内槽中の洗濯水に渦が生じたり、波打ったりする。一部の洗濯水は波打つ作用により、バランスリング下方の脱水孔から外槽に飛散し、「飛散」の現象が深刻なとき、洗濯機は「水の損失」となる。洗濯機は洗濯水位を保持するため、たびたび自動で給水しなければならず、流出した水は外槽の排水管から洗濯機外に無駄に流出する。たとえ給水しても、水の損失により内槽中の洗剤量が減少するため、洗浄比が低下する。この現象は、洗濯機市場での評判に直接影響を及ぼす。
【０００５】
穴なし洗濯機の洗濯動作時、飛散して水の損失が生じるのを減少させるため、中国特許出願番号第２００８２０００３５７６．３号明細書は、穴なし洗濯機の流出防止方式のバランスリングシステムを開示している。これは流出防止方式のバランスリングおよび穴なし内槽を組み合わせて形成された下スリット、水収容空洞、上スリットのオーバーフロー通路であり、オーバーフロー通路は脱水時の脱水孔を兼ねる。流出を遅らせる方式を採用し、穴なし洗濯機の洗濯動作時における飛散、水損失を阻止または減少させる目的を達成する。
【０００６】
しかし、上記設計構造の洗濯過程における水流への阻害作用は理想的ではない。オーバーフロー通路に進入した水流は、遠心力の作用下で、慣性が比較的高いため、水が直接通路内から飛散するためである。試験により以下のことがわかる。該改良構造は、一部の少ない水が槽外に飛散するのを阻止することしかできず、上記洗濯機の槽から飛散し、水を損失する問題を解決することはできない。次に、このような設計のオーバーフロー通路は洗浄しにくく、通路内を洗濯水流が通過すると、容易に汚れが溜まり、細菌が繁殖する。オーバーフロー通路に進入した水の一部が穴なし内槽に戻るとき、細菌などの微生物をもたらす。さらに、該構造は脱水時、その脱水効率も流出を遅らせることに影響を受ける。したがって、節水、脱水効果および安全衛生に関わらず、該技術は依然として深刻な欠点が存在する。
【０００７】
このことを考慮して、特に本発明を示す。
【先行技術文献】
【特許文献】
【０００８】
【特許文献１】中国特許出願番号第２０１１２０２００８５８．４号明細書
【特許文献２】中国特許出願番号第２００８２０００３５７６．３号明細書
【発明の概要】
【発明が解決しようとする課題】
【０００９】
本発明が解決しようとする技術的問題は、既存技術の不足を克服することであり、洗濯機の内槽を提供する。洗濯機で衣類を洗濯するとき、洗濯水が槽壁に沿って上昇し、脱水孔から流出するのを効果的に阻止することができ、洗濯機の節水効果が好ましくない欠点を克服した。
【課題を解決するための手段】
【００１０】
上記技術的問題を解決するため、本発明が採用した技術案の基本的構想は以下の通りである。
洗濯機の内槽は、槽体と、槽体上部に取り付けられるバランスリングと、槽体下部に取り付けられる槽底部とを含み、前記槽体はバランスリングの下方に、内径が槽体の内径より小さい環状のネッキング構造を有する。ネッキング構造部分ならびに／またはネッキング構造およびバランスリングの間に複数の脱水孔が分布し、槽体の下部は密封の水受け構造である。
【００１１】
本発明の洗濯機は、該内槽構造を採用する。洗濯過程で特に高い水位で洗濯するとき、洗濯水はたとえ洗濯の遠心力により、槽壁に沿って上昇しても、ネッキング構造部分で遮られて槽内に落下する。洗濯水が槽壁に沿って上昇し、上方の脱水孔から流出するのを効果的に阻止することができ、水の損失により衣類の洗濯効果が劣り、洗浄比が低くなる欠点を防止する。脱水過程では、内槽の回転速度が比較的速いため、生じる遠心力により、洗濯水は依然として上方の脱水孔から排出することができる。
【００１２】
さらに、ネッキング構造は、槽体が外から内にへこみ、槽体の内壁に形成される環状突起である。またはネッキング構造は、槽体の内壁に円周に沿って設けられる環状凸リブである。
【００１３】
上記ネッキング構造の形成方式として、槽体が外から内にへこみ、槽体の内壁に環状突起が形成される方式は、内槽の構造を簡単にし、加工が便利である。ネッキング構造のもう１つの形成方式として、槽体の内壁に円周方向に沿って環状凸リブを設ける方式は、内槽の強度を高めることができ、内槽の使用寿命を延長させる。
【００１４】
さらに、ネッキング構造の下端および槽体の内壁は逆の斜度で設置される。
【００１５】
該逆の斜度で設置することにより、洗濯過程で、遠心力作用により内槽に沿って上昇した洗濯水は、該構造部分で内槽に戻ることができるが、該部分に水は貯まらない。さらに脱水時、内槽が高度に回転すると、脱水がネッキング構造に沿って脱水孔まで上昇し、排出されるのに有利である。
【００１６】
さらに、脱水孔は槽体の軸方向に少なくとも２層に分けられ、上層の脱水孔の分布密度は下層の脱水孔の分布密度より高い。
【００１７】
脱水孔は軸方向に上が密で下がまばらな２層に分けられ、脱水後期の衣類の含水量が比較的少ないとき、脱水の排出を便利にすることができる。他に、分布密度が低い下層の脱水孔は、高い水位で洗濯するとき、洗濯水が下層の脱水孔から流出するのを減少させることができる。
【００１８】
さらに、脱水孔はネッキング構造の上半分に設けられるか、または、脱水孔はネッキング構造の内径が最も小さい部分の上方領域に設けられる。上記脱水孔のネッキング構造への設置は、一部の洗濯水が上に上昇することにより、外槽に排出されて内槽の水を損失するのをさらに防止することができる。
【００１９】
さらに、前記バランスリングに外周に向かって突起する環状凸リブが設けられる。ネッキング構造の上端部の外反部は環状凸リブの縁と接続され、脱水孔は環状凸リブの下方に設けられる。好ましくは、ネッキング構造は脱水孔の最も上側の外反部に沿って、環状凸リブの縁と接続される。
【００２０】
該脱水孔の設置は脱水の排出速度を高め、さらに脱水率を高めた。内槽の回転速度が低下すると、内槽の槽壁に沿って上昇したが、排出されなかった一部の水が、落下して再度衣類内に滲みこむのを防止した。
【００２１】
さらに、前記バランスリング下端に、下向きにネッキング構造に挿入される環状リブが設けられ、環状リブとネッキング構造の内壁との間に、排水通路を形成する間隙を有する。脱水孔は、ネッキング構造における排水通路の最上部の近くに設けられる。
【００２２】
さらに、前記排水通路は縦方向に配列する複数の通路を含み、前記脱水孔は通路の上部に設けられる。
【００２３】
さらに、前記通路は、主に環状リブに縦方向に分布する縦方向リブがネッキング構造と組み合わさってなる。
【００２４】
上記構造により、洗濯時、内槽が回転して水が飛散し、脱水孔から排出されるのを防止することができる。さらに、脱水時、排水を誘導し、脱水がドラム壁の円周に沿って運動し、排水速度に影響を及ぼすことにより、脱水効率が低下するのを防止する。
【００２５】
さらに、ネッキング構造下方の槽体内壁に、分離式フィルタカバーが設けられる。分離式フィルタカバーは本体および付属ブロックを含み、付属ブロックは本体の上方、ネッキング構造の下方に設けられ、内槽の上部に位置する。付属ブロックおよび本体の間に、水流を内槽の回転方向に沿って通過させる通水間隙が設けられる。
【００２６】
上記分離式フィルタカバーを設置することにより、洗濯時、洗濯水が遠心力作用により、フィルタカバーに沿ってネッキング構造の脱水孔部分まで上昇し、水を損失するのを防止することができる。他に、洗濯過程で洗濯水およびフィルタカバーが衝突して水が飛散し、脱水孔から流出するのを減少させることもできる。
【００２７】
さらに、槽体は付属ブロック後方に第３脱水孔を有する。該付属ブロック後方の第３脱水孔の設計は、脱水後期の衣類の含水量が比較的少ないとき、水の排出を便利にすることができ、洗濯機の脱水効率を高める。他に、低い水位で脱水するとき、脱水効率を保証することもできる。
【００２８】
さらに、ネッキング構造下方の槽体内壁に連続式フィルタカバーが設けられ、連続式フィルタカバーおよびネッキング構造の間に、水流を内槽の回転方向に沿って通過させる通水間隙が設けられる。
【００２９】
上記連続式フィルタカバーおよびネッキング構造の間に通水間隙を有する設計の構造により、洗濯水が連続式フィルタカバーに沿って上昇し、ネッキング構造上方の脱水孔から流出するのを減少させることができる。
【００３０】
さらに、フィルタカバーのちょうど上方および両側α（０≦α≦２０°）の範囲内に脱水孔を設けない。該構造により、水が飛散し、フィルタカバーに沿って直接上昇し、上方の脱水孔から水が流出するのを防止し、止水効率をよりさらに高める。
【００３１】
さらに、ネッキング構造下方の槽体内壁に連続式フィルタカバーが設けられる。フィルタカバーのちょうど上方および両側α（０≦α≦２０°）の範囲内に、脱水孔を設けない。
【００３２】
上記連続式フィルタカバー上方の一定角度内に脱水孔を設けず、洗濯過程で洗濯水が遠心力作用により、連続式フィルタカバーに沿って上昇し、上方の脱水孔から流出するのをさらに減少させることができる。
【発明の効果】
【００３３】
上記技術案を採用すると、本発明は既存技術と比較して、以下の有益な効果を有する。
【００３４】
本発明は既存の洗濯機の穴なし内槽を改良し、内槽上部に槽の内側に径を縮めたネッキング構造を設ける。ネッキング構造は止水作用を有する遮断凸台を形成し、洗濯時に槽内の水が外に飛散するのを遮ることができる。さらにネッキング構造部分ならびに／またはネッキング構造およびバランスリングの間に、少なくとも２層の脱水孔を分布、設置し、脱水時に理想的な脱水効率を達成することができることを保証した。洗濯過程で洗濯水が飛散するのをさらに防止するため、本発明は槽体内壁に取り付けるフィルタカバーを改良する。分離式フィルタカバーを設置することにより、付属ブロックおよびフィルタカバーの間に円周方向の通水間隙を有し、水が飛散し、フィルタカバーに沿って付属ブロック上方の脱水孔まで直接上昇するのを防止する。分離式フィルタカバーの付属ブロックの後部にも低水位脱水孔が設けられ、低い水位で脱水するときの脱水効率を保証した。さらに洗濯水が洗濯過程でフィルタカバーに沿って上昇または飛散するのを防止するため、フィルタカバーのちょうど上方の一定範囲内に脱水孔を設けず、水の損失をさらに減少させた。
【００３５】
本発明は、バランスリングおよびネッキング構造の嵌合、取付方式をさらに改良し、脱水孔の配置、設計を最適化し、洗濯時の飛散による水の損失を減少させた。さらに、脱水時の排水速度および脱水効率を高めた。
【００３６】
以下、図を組み合わせて、本発明を実施するための形態について、さらに詳細に説明する。
【００３７】
図は本発明の一部とし、本発明をさらに理解できるようにするものである。本発明の例示的な実施例およびその説明は本発明を説明するものであるが、本発明を不適当に限定しない。以下の記載における図は、いくつかの実施例に過ぎず、当業者が創造的労働を行わない前提で、これらの図に基づいてその他の図を得ることもできることは明らかである。
【図面の簡単な説明】
【００３８】
【図１】図１は、本発明における前記内槽の槽体の構造概要図である。
【図２】図２は、図１におけるＡ部分の拡大概要図である。
【図３】図３は、図２における脱水孔のもう１つの設置方式の概要図である。
【図４】図４は、本発明における前記内槽および分離式フィルタカバーの取付構造の概要図である。
【図５】図５は、本発明における分離式フィルタカバーおよび脱水孔の取付構造の概要図である。
【図６】図６は、本発明における分離式フィルタカバーおよび脱水孔の取付構造の概要図である。
【図７】図７は、本発明における連続式フィルタカバーの取付構造の概要図である。
【図８】図８は、本発明における連続式フィルタカバーの取付構造の概要図である。
【図９】図９は、本発明における内槽およびバランスリングの嵌合取付構造の概要図である。
【図１０】図１０は、本発明における内槽およびバランスリングの嵌合取付構造の概要図である。
【図１１】図１１は、図９におけるＣ部分の拡大概要図である。
【００３９】
これらの図および記載は、どのような方式でも本発明の構想の範囲を制限するためのものではなく、特定の実施例を参照することにより、当業者に本発明の概念を説明するためのものであると説明する必要がある。
【発明を実施するための形態】
【００４０】
本発明の実施例の目的、技術案および利点をより明確にするため、以下、本発明の実施例の図を組み合わせて、実施例中の技術案について明確、完全に記載する。以下の実施例は、本発明を説明するものであるが、本発明の範囲を制限するものではない。
【００４１】
本発明の記載において、説明する必要があることとして、「上」、「下」、「前」、「後」、「左」、「右」、「垂直」、「内」、「外」などの用語が指示する方位または位置関係は、図に示す方位または位置関係に基づく。本発明の記載および記載の簡略化を便利にするために過ぎず、示した装置または素子が特定の方位、特定の方位での構造および操作を有さなければならないことを指示または示唆するのではないため、本発明に対する制限であると理解することはできない。
【００４２】
本発明の記載において、説明する必要があることとして、他に明確に規定および限定されていなければ、「取り付ける」、「つながる」、「接続する」の用語は、広義に理解すべきである。例えば、固定接続でも、取外し可能に接続、または一体に接続でもよく；機械的に接続でも、電気的に接続でもよく；直接つながるでも、途中で媒介し、間接的につながるでもよい。当業者は、具体的な状況において、上記用語が本発明中で具体的に含む内容を理解することができる。
【００４３】
図１から図１１に示すように、本発明の前記洗濯機の内槽は、槽体１と、槽体１上部に取り付けられるバランスリング２と、槽体１下部に取り付けられる槽底部３とを含み、槽体１はバランスリング２の下方に、内径が槽体の内径より小さい環状のネッキング構造４を有する。ネッキング構造４部分ならびに／またはネッキング構造４およびバランスリング２の間に複数の脱水孔５が分布し、槽体１の下部は密封の水受け構造である。
【００４４】
洗濯およびすすぎ過程において、パルセータの往復撹拌下で、内槽中の洗濯水に渦が生じたり、飛散したりするとき、洗濯水は内槽槽壁に沿って上昇する。洗濯水がバランスリング２下方に設けられた環状のネッキング構造４まで上昇すると、洗濯およびすすぎ時の内槽の回転速度は高くないため、生じる遠心力により洗濯水はネッキング構造４に阻害される。洗濯水はそれ自体の重力作用により内槽内に落下し、ネッキング構造４は上に飛散する洗濯水を阻害する。槽体１の下部に脱水孔がなく、密封の水受け構造であるため、洗濯水が脱水孔から流出するのを防止し、すなわち洗濯機の飛散による洗濯水の流出を効果的に阻止または減少させる。さらには洗濯およびすすぎ時に水位を保持し、洗濯機に給水プログラムを設定する必要はなく、洗濯およびすすぎの水使用量が増加するのを防止し、洗濯機の節水効果が好ましくない欠点を克服した。さらに洗濯時に水を損失し、給水することにより、洗濯液の濃度が低下し、きれいに洗濯できなくなる問題も防止した。脱水時、内槽の回転速度が高く、比較的大きな遠心力が生じ、内槽および衣類中の水は脱水孔の位置まで上昇することができ、ネッキング構造の阻害の影響を受けず、正常な脱水を実現する。
【実施例】
【００４５】
実施例１
図１から図４に示すように、本発明の実施例で提供する洗濯機の内槽において、そのネッキング構造４は、槽体１の外から内にプレスされた１周のへこみが槽体１の内壁で形成する環状突起である。ネッキング構造４の構造は簡単で、洗濯機の内槽全体にその他の部品を取り付ける必要はなく、内槽全体の製造は簡単で、コストは低い。
【００４６】
あるいは、上記ネッキング構造は、槽体の内壁に円周に沿って設けた環状凸リブにより得られる（図示せず）。具体的に、該部分の槽体の厚さを変更するか、または槽壁に１周の凸リブを取り付けることにより、該ネッキング構造を構成する。
【００４７】
好ましくは、ネッキング構造４の下端および槽体１の内壁は逆の斜度で設置される（図２中のＢ部分を参照）。該逆の斜度で設置することにより、洗濯過程で遠心力作用により、内槽に沿って上昇する洗濯水は、該構造部分で内槽に戻ることができる。さらに脱水時、内槽が高度に回転すると、脱水がネッキング構造に沿って脱水孔まで上昇し、排出されるのに有利である。
【００４８】
実施例２
図１および図２に示すように、本実施例はネッキング構造４部分に、上下に２周の脱水孔５が分布する。洗濯機の遠心脱水時、内槽が高速で回転すると、衣類中に残った水は遠心力の作用下で内槽の槽壁に沿って上昇する。脱水孔５から迅速に水が排出され、脱水効率を高める。
【００４９】
上層の脱水孔５１の分布密度は、下層の脱水孔５２の分布密度より高く、つまり下層の脱水孔５２の個数は、上層の脱水孔５１の個数より少ない（図１を参照）。該構造により、洗濯およびすすぎ時、洗濯水が脱水孔から流出する可能性があるのをさらに防止し；洗濯機の脱水時、設置された下層の脱水孔により、脱水が残るのを防止した。
【００５０】
さらに、脱水孔５はネッキング構造４の上半分に設けられるか、または脱水孔５はネッキング構造４の内径が最も小さい部分の上方領域に設けられる。該構造により、洗濯水が脱水孔から流出するのをより良好に阻止する。
【００５１】
本実施例のネッキング構造４に上下２周の脱水孔５が設置されるが、２周に制限されず、１周のみ、または３周以上設置してもよい。設置が少ないほど、洗濯、すすぎ時に内槽の水損失の可能性は低く、設置が多いほど、脱水の速度が速い。
【００５２】
実施例３
本実施例および実施例２の違いは次の通りである。脱水孔の一部または全てがネッキング構造の上方、バランスリング下方の槽壁に設けられる。図３に示すように、上層の脱水孔５１はネッキング構造４の上方に設けられ、下層の脱水孔５２はネッキング構造４の上半分に設けられる。
【００５３】
実施例４
図４から図６に示すように、本発明は上記実施例を基にし、ネッキング構造４下方の槽体１内壁に分離式フィルタカバー６が設けられる。分離式フィルタカバー６は本体６１および付属ブロック６２を含み、付属ブロック６２は本体６１上方にあり、付属ブロック６２および本体６１の間に、水流を内槽の回転方向に沿って通過させる通水間隙７が設けられる。
【００５４】
上記設置により、洗濯およびすすぎ時、内槽中の洗濯水は本体６１の表面に沿って上昇するが、付属ブロック６２および本体６１の間に通水間隙７が設けられるため、水がフィルタカバーに沿って連続して上昇するのを効果的に防止し、洗濯水が流出する可能性を低下させた。他に、水流の回転の通過可能性を高め、洗濯水およびフィルタカバーの衝突による水の飛散を減少させる。
【００５５】
実施例５
図５に示すように、本実施例は実施例４を基にし、脱水効率、特に低い水位で洗濯するときの脱水効率を高めるため、槽体１における付属ブロック６２の後方に第３脱水孔８を設ける。好ましくは、付属ブロック６２は槽体１上部に設けられ、設置する高さは洗濯機に設定した最高水位より高く、高い水位で洗濯するときに洗濯水が流出するのを防止した。
【００５６】
実施例６
図６に示すように、本実施例は実施例４および実施例５を基にさらに改良を行う。洗濯過程で、洗濯水およびフィルタカバーの衝突により、少量の洗濯水が衝撃力の作用を受けて、ネッキング構造４部分またはネッキング構造４およびバランスリング２の間に直接飛散する可能性がある。上記少量の洗濯水が、ネッキング構造４部分ならびに／またはネッキング構造４およびバランスリング２の間に分布する脱水孔から流出し、さらには洗濯機の節水効果が好ましくなくなる。上記状況で洗濯水が流出する可能性があるのを防止するため、付属ブロック６２上方および両側α（０≦α≦２０°）の範囲内に対応する領域に脱水孔を設けない。洗濯機で衣類を洗濯するとき、水の飛散により洗濯水が流出するのを効果的に阻止または減少させることができる。
【００５７】
実施例７
図７に示すように、本実施例は上記実施例４と異なる。ネッキング構造４下方の槽体１内壁に連続式フィルタカバー９が設けられ、連続式フィルタカバー９上方および両側α（０≦α≦２０°）の範囲内に対応する領域に脱水孔を設けない。洗濯およびすすぎ時、たとえ洗濯水がフィルタカバー表面に沿って上昇しても、流出することはできない。脱水時、内槽の回転速度が比較的高く、脱水が遠心力作用により、内壁に沿って上昇するときも、内壁の円周方向に沿って回転する。たとえ連続式フィルタカバー９上方に脱水孔を有さなくても、その他の領域の脱水孔から排出することができる。
【００５８】
実施例８
図８に示すように、本実施例は、ネッキング構造４下方の槽体内壁に連続式フィルタカバー９が設けられる。洗濯水の流出をさらに減少させるため、連続式フィルタカバー９およびネッキング構造４の間に、水流を内槽の回転方向に沿って通過させる通水間隙７が設けられる。該構造は、実施例７の構造と組み合わせることができ、洗濯およびすすぎ時、洗濯水の流出をより良好に減少させることができる。
【００５９】
実施例９
図９および図１１に示すように、本実施例の前記バランスリング２に、外周に向かって突起する環状凸リブ２１が設けられ、ネッキング構造４の上端部の外反部は環状凸リブ２１の縁と接続される。脱水孔５は環状凸リブ２１の下方に設けられ、脱水孔５の最も上側および環状凸リブ２１は隣接して設置される。
【００６０】
該脱水孔の設置は脱水の排出速度を高め、さらに脱水率を高めた。内槽の回転速度が低下すると、内槽槽壁に沿って上昇したが、排出されなかった一部の水が落下して、再度衣類内に滲みこむのを防止した。
【００６１】
実施例１０
図１０および図１１に示すように、本実施例の前記バランスリング２下端に、下向きにネッキング構造に挿入される環状リブ２２が設けられ、環状リブ２２とネッキング構造４の内壁との間に、排水通路１０を形成する間隙を有する。脱水孔５は、ネッキング構造４における排水通路１０の最上部の近くに設けられる。
【００６２】
さらに、前記排水通路１０は縦方向に配列する複数の通路１１を含み、前記脱水孔５は通路１１の上部に設けられ；好ましくは、ネッキング構造４における通路１１の最上部に設けられる。前記通路１１は、主に環状リブ２２に縦方向に分布する縦方向リブ２３がネッキング構造４と組み合わさってなるか、またはネッキング構造の内壁に縦方向に分布する突起が環状リブと組み合わさってなる（図示せず）。
【００６３】
上記構造により、洗濯時、内槽が回転して水が飛散し、脱水孔から排出されるのを防止することができる。さらに、脱水時、排水を誘導し、脱水がドラム壁の円周に沿って運動し、排水速度に影響を及ぼすことにより、脱水効率が低下するのを防止する。
【００６４】
以上の記載は本発明の好ましい実施例に過ぎず、本発明をどのような形式でも制限しない。本発明は好ましい実施例により上記のように開示したが、本発明を限定するものではない。当業者は本発明の技術案を逸脱しない範囲内で、上記に示した技術内容を利用して修正または修飾を行い、均等変化の等価実施例とすることができるが、いずれも本発明の技術案の内容を逸脱しない。本発明の技術的本質に基づき、以上の実施例に対して行う簡単な修正、均等変化および修飾は、いずれも本発明案の範囲内に属する。
【図１】
0006723363.tif 000002
【図２】
0006723363.tif 000003
【図３】
0006723363.tif 000004
【図４】
0006723363.tif 000005
【図５】
0006723363.tif 000006
【図６】
0006723363.tif 000007
【図７】
0006723363.tif 000008
【図８】
0006723363.tif 000009
【図９】
0006723363.tif 000010
【図１０】
0006723363.tif 000011
【図１１】
0006723363.tif 000012